(57)【要約】【課題】照明器具に容易に取り付け可能であるとともに、グレアを低減することができる透光性部材及びそれを備えた照明器具を提供する。【解決手段】開口部３２から光を出射する照明器具１００に取り付けられる透光性部材８１であって、少なくとも前記開口部３２を覆い、前記開口部３２より光源側に窪んでいる凹部８２を有する。また、前記透光性部材８１は、前記光源に最も近い部分の肉厚がそれ以外の部分よりも薄い。また、前記透光性部材８１は、前記開口部３２の外周部である鍔部９１より大きい。【選択図】図４
2015213052.tif 000002
【特許請求の範囲】
【請求項１】
開口部から光を出射する照明器具に取り付けられる透光性部材であって、
少なくとも前記開口部を覆い、
前記開口部より光源側に窪んでいる凹部を有する、透光性部材。
【請求項２】
請求項１に記載の透光性部材であって、
前記光源に最も近い部分の肉厚がそれ以外の部分よりも薄い、透光性部材。
【請求項３】
請求項１または請求項２に記載の透光性部材であって、
前記開口部の外周部よりも大きい、透光性部材。
【請求項４】
請求項１から請求項３のいずれか一項に記載の透光性部材であって、
前記外周部を挟む、透光性部材。
【請求項５】
請求項１から請求項４のいずれか一項に記載の透光性部材であって、
前記凹部の外側に延長部を有し、
前記凹部と前記延長部とが連続した曲面で形成されている、透光性部材。
【請求項６】
請求項１から請求項５のいずれか一項に記載の透光性部材であって、
弾性部材により形成される、透光性部材。
【請求項７】
請求項１から請求項６のいずれか一項に記載の透光性部材を備える、照明器具。
【請求項８】
請求項７に記載の照明器具であって、
前記光源は、ＬＥＤである、照明器具。
【請求項９】
請求項７または請求項８に記載の照明器具であって、
前記光源と前記透光性部材との間に、レンズを有する、照明器具。
【請求項１０】
請求項７または請求項８に記載の照明器具であって、
前記照明器具は、天井等の被取付部に取り付けられる埋込型照明器具であって、
光源部と、前記被取付部に取り付けるための取付部材と、前記光源部からの光を出射する開口部と、を有する灯具本体と、
前記光源部に給電する電源部と、を有し、
前記照明器具を前記被取付部に取り付けた際に、前記被取付部と前記取付部材との間に介装される立壁部を有する、照明器具。
【請求項１１】
請求項７から請求項１０のいずれか一項に記載の照明器具であって、
前記透光性部材は、
前記灯具本体に取り付けられ、前記開口部を覆う絶縁性材料からなり、
前記灯具本体は、前記開口部の外周側に鍔部を有し、
前記透光性部材は、平面視において前記鍔部よりも大きく、少なくとも前記鍔部の一部を挟んで前記灯具本体に取り付けられる、照明器具。
【請求項１２】
請求項１０または請求項１１に記載の照明器具であって、
前記立壁部は、前記透光性部材から連続するように立設している、照明器具。
【発明の詳細な説明】
【技術分野】
【０００１】
本発明は、透光性部材及びそれを備えた照明器具に関する。
【背景技術】
【０００２】
従来、光源及び光源を覆う透光性カバーを備え、天井等に形成された取付穴に埋め込まれて取り付けられるダウンライト型の埋込型照明器具が知られている（例えば、特許文献１参照）。
【０００３】
特許文献１には、天井の埋込穴の縁部に係止するつばを開口部に有して埋込穴に埋設された器具本体と、カバー係止部を内面に有する筒状の枠と、前記つばより大きい形状を有して前記カバー係止部に係止する係合部を上面に有する透光性カバーとを備えた照明器具が開示されている。当該照明器具においては、器具本体の開口部に、下方に向けて凸状の透光性カバーが設けられている。また、当該照明器具においては、透光性カバーが前記枠及びマジックばね（特許文献１の図２参照）を介して器具本体に取り付けられる。
【先行技術文献】
【特許文献】
【０００４】
【特許文献１】実用新案登録第２５９５９７４号公報
【発明の概要】
【発明が解決しようとする課題】
【０００５】
しかしながら、特許文献１に開示された透光性カバーは、枠及びマジックばね等の取付部材を介して器具本体に取り付ける構造であるため、部材点数が増えるとともに取付構造が複雑になる。そのため、部材点数が少なく、かつ照明器具に容易に取り付け可能であるものが望まれる。
【０００６】
また、透光性カバーは、光源からの出射光を制御するための光制御部材の一種である。光源から出射された光は透光性カバーの表面上で発光しているように見える。特許文献１に開示された下方に向けて凸状の透光性カバーの場合、透光性カバーが天井面から突出するように天井面に取り付けられるため、凸状の表面が発光しているように使用者に視認される。特に、透光性カバーにおいて光源から近い部分は輝度が高くなる。下方に向けて凸状の透光性カバーを用いると、天井面から突出した透光性カバーの頂部付近が光源に最も近いため最も輝度が高くなり、使用者に眩しく発光しているように視認されやすい。そのため、このような照明器具としては、グレアを低減したものが望まれる。
【０００７】
そこで、本発明は、上記課題に鑑みてなされたものであり、照明器具に容易に取り付け可能であるとともに、グレアを低減することができる透光性部材及びそれを備えた照明器具を提供することを目的とする。
【課題を解決するための手段】
【０００８】
本発明の解決しようとする課題は以上の如くであり、次にこの課題を解決するための手段を説明する。
【０００９】
すなわち、本願に開示する透光性部材は、
開口部から光を出射する照明器具に取り付けられる透光性部材であって、
少なくとも前記開口部を覆い、
前記開口部より光源側に窪んでいる凹部を有するものである。
【００１０】
本願に開示する透光性部材において、
前記光源に最も近い部分の肉厚がそれ以外の部分よりも薄くなるように形成されていることが好ましい。
【００１１】
本願に開示する透光性部材において、
前記開口部の外周部よりも大きいことが好ましい。
【００１２】
本願に開示する透光性部材において、
前記外周部を挟んだ状態で取り付けられることが好ましい。
【００１３】
本願に開示する透光性部材において、
前記凹部の外側に延長部を有し、
前記凹部と前記延長部とが連続した曲面で形成されていることが好ましい。
【００１４】
本願に開示する透光性部材において、
弾性部材からなることが好ましい。
【００１５】
また、本願に開示する照明器具は、
前記透光性部材を備えるものである。
【００１６】
本願に開示する照明器具において、
前記光源は、ＬＥＤであることが好ましい。
【００１７】
本願に開示する照明器具において、
前記光源と前記透光性部材との間に、レンズを有することが好ましい。
【００１８】
本願に開示する照明器具において、
前記照明器具は、天井等の被取付部に取り付けられる埋込型照明器具であって、
光源部と、前記被取付部に取り付けるための取付部材と、前記光源部からの光を出射する開口部と、を有する灯具本体と、
前記光源部に給電する電源部と、を有し、
前記照明器具を前記被取付部に取り付けた際に、前記被取付部と前記取付部材との間に介装される立壁部を有することが好ましい。
【００１９】
本願に開示する照明器具において、
前記透光性部材は、
前記灯具本体に取り付けられ、前記開口部を覆う絶縁性材料からなり、
前記灯具本体は、前記開口部の外周側に鍔部を有し、
前記透光性部材は、平面視において前記鍔部よりも大きく、少なくとも前記鍔部の一部を挟んで前記灯具本体に取り付けられることが好ましい。
【００２０】
本願に開示する照明器具において、前記立壁部は、前記透光性部材から連続するように立設していることが好ましい。
【発明の効果】
【００２１】
本発明によれば、照明器具に容易に取り付け可能であるとともに、グレアを低減することができる。
【図面の簡単な説明】
【００２２】
【図１】本発明の第１実施形態に係る照明器具を斜め下方から見た斜視図。
【図２】照明器具を斜め上方から見た斜視図。
【図３】照明器具を示す平面図。
【図４】図３のＡ−Ａ′線断面図であり、照明器具を取付穴に取り付けた状態を示す図。
【図５】図４の一部を拡大した図であり、灯具本体に透光性部材を取り付けた状態を示す図。
【図６】照明器具を下側から見た下面図。
【図７】照明器具を取付穴に取り付けた状態における取付バネを示す断面図。
【図８】第２実施形態に係る照明器具を示す平面図。
【図９】図８のＢ−Ｂ′線断面図であり、照明器具を取付穴に取り付けた状態を示す図。
【発明を実施するための形態】
【００２３】
本発明の第１実施形態に係る照明器具１００について、図１から図７を用いて説明する。照明器具１００は、図４に示すように取付面となる天井Ｃに形成された、例えば、丸型の取付穴Ｈに埋め込まれて設置されるダウンライトである。以下の説明では、照明器具１００の上下方向は、照明器具１００が天井Ｃに設置された状態における上下方向（図４における上下方向）として説明する。また、上下方向に直交する方向を径方向として説明する。また、本実施形態の説明において、上方から照明器具１００等を視た状態を平面視とする。上下方向に対して直交方向から照明器具１００等を視た状態を側面視とする。照明器具１００等の断面形状を視た状態を断面視とする。
【００２４】
照明器具１００は、図１、図２に示すように、灯具本体１１と、電源部５１と、保持部材６１とを主に備える。
【００２５】
灯具本体１１は、光源部２１、反射部３１、ヒートシンク４１及び鍔部９１を有する灯具主体５０、透光性部材８１、及び取付バネ７１を有している。灯具主体５０は、高い熱伝導性を有するアルミニウム等の金属素材を用いて形成されている。
なお、灯具主体５０は、金属素材で形成することに限らず、アルミニウム以外の金属素材や樹脂素材、またはそれらの組み合わせで形成しても良く、熱伝導性が高い材料で形成されることが好ましい。
また、灯具本体１１において、光軸Ｌ（図４参照）に沿う方向を「光軸方向」と定義し、軸方向に直交する方向を「径方向」と定義する。なお、本実施形態では、光軸Ｌが灯具本体１１の中心軸と同じである。
また、本実施形態で挙げる透光性部材８１とは、光源部２１からの光の配光や照度、色温度などを制御する部材である。透光性部材８１としては、例えば、セード（透光カバー）、パネル、凸レンズや凹レンズ等の種々のレンズを広く含むものである。
【００２６】
灯具主体５０は、光源部２１を収容するとともに、笠状の反射部３１及び該反射部３１に連設される略円柱状のヒートシンク４１から構成される。ヒートシンク４１は、灯具主体５０の上部に形成されている。ヒートシンク４１の構成については後に詳細に説明するが、ヒートシンク４１には複数の放熱フィン４３が並設されている。ヒートシンク４１の下側には光源収容部４４が配置される。光源収容部４４は、光源部２１を収容する有底円筒状の部分である。本実施形態における反射部３１及びヒートシンク４１は、一体の部材として形成される。なお、本実施の形態において「一体の部材」とは、分離独立した複数の部材が一つに結合したものではなく、成型段階で一つの部材として作られた部材である。ただし、本発明における「一体の部材」は、成型段階で一つの部材として作られた部材に限らず、分離独立した複数の部材が一つに結合した部材を含むように広義な意味を持つこととする。
【００２７】
反射部３１は、光源部２１を中心にして下方に向かって傘状に開いた形状の光源用リフレクターである。反射部３１は、図４に示すように、開口部３２、断面視略ハ字状の周壁部３３、を有している。反射部３１は、光源収容部４４の開口部から延設される周壁部３３が下方に行くに従って広がる放物面状に形成される。周壁部３３の内周面は、光源部２１のＬＥＤ素子から発光される光を反射する反射面となっている。
【００２８】
開口部３２は、光源部２１で発生した光が外部に向かって通過する部分である。
【００２９】
鍔部９１は、周壁部３３の下部の開口部３２の外周縁から径方向外側に突出して環状に形成される外周部である。鍔部９１は、照明器具１００を天井Ｃの取付穴Ｈに設置した状態で取付穴Ｈの周縁部を覆う部分である。
【００３０】
光源部２１は、照明器具１００の照射面側に向けて光を出射する部分である。光源部２１は、図４に示すように、ヒートシンク４１の光源収容部４４内に設けられており、基板２２、レンズ２３を有している。
【００３１】
基板２２は、平板状に加工された基板面に、点光源である１つまたは複数のＬＥＤ素子を備えたＬＥＤモジュールである。ＬＥＤ素子には、レンズ２３が対向して配置されている。基板２２は、ヒートシンク４１の光源収容部４４の底面４４ａに当接して配置され、ネジ等の取付部材により取り付けられる。基板２２は、電線（図示せず）によって電源部５１と電気的に接続されている。ＬＥＤ素子は、点灯時に発熱する。ＬＥＤ素子から発する熱は、基板２２に伝わる。基板２２に伝わった熱は、基板２２が光源収容部４４の底面４４ａに当接しているため、光源収容部４４に伝わる。
なお、本実施形態では、光源として表面実装型のＬＥＤ素子を用いたが、光源の種類は表面実装型のＬＥＤ素子に限定されず、例えばＣＯＢ型発光モジュールや有機ＥＬ素子（ＯＬＥＤ）などであっても実現可能である。
また、基板２２は、熱伝導性シート（図示せず）や放熱グリスを介して光源収容部４４に取り付けてもよく、これにより、より高い放熱性を得ることができる。
【００３２】
レンズ２３は、ＬＥＤ素子が発した光（発光光）を配光制御するための光学部材である。レンズ２３は、透光性の高い化学的に安定した光学材料（例えばアクリル樹脂、ポリカーボネート、ガラスなど）を適用して形成される。また、本実施形態のレンズ２３は、用途に合わせた形状に形成することができる。本実施形態では、レンズ２３は、図４に示すように、凸メニスカスレンズで構成されるレンズ本体２４と、該レンズ本体２４を支持する円筒部２５と、該円筒部２５の下端周縁から径方向外側に突出するフランジ部２６とを有している。レンズ本体２４は、出射面の中央部が下側に向かって突出した凸曲面形状に形成されている。また、レンズ本体２４は、入射面の中央部が下側に向かって凹む凹曲面形状に形成されている。円筒部２５の外径は、光源収容部４４の内径よりも小さい。レンズ２３は、光源収容部４４に嵌合することで取り付けられる。
【００３３】
透光性部材８１は、照明器具１００の光源部２１からの出射光を制御するものである。透光性部材８１は、光源部２１からの出射光を外部に出射する開口部３２を少なくとも覆う。透光性部材８１は、平面視が円形形状で外形が略半球状もしくはドーム状の部材である。透光性部材８１は、反射部３１の開口部３２を閉塞するように照明器具に取り付け可能な部材である。透光性部材８１は、ヒートシンク４１の光源収容部４４内に配置されたＬＥＤ素子からの光を透過及び拡散させる透光性カバーである。透光性部材８１は、例えば、照明器具１００を天井Ｃに取り付けた場合に、使用者に視認される側に出射面を形成する部材である。透光性部材８１は、透光性を有する弾性部材で形成される。具体的には、透光性部材８１は、種々のゴムやシリコーン樹脂等の軟質合成樹脂などの弾性変形可能な可撓性を有する材料で形成することができる。また、透光性部材８１は絶縁材料で形成することができる。本実施形態では、透光性部材８１をシリコーン樹脂で形成した。
本実施形態では、透光性部材８１をシリコーン樹脂を用いて、弾性変形可能な可撓性を有し、弾性変形を伴って灯具本体１１に着脱可能であるように形成した。これに限らず、透光性部材８１は、灯具本体１１に接着剤等で容易に離脱できないよう固定する構成としてもよい。また、透光性部材８１が開口部３２を閉塞するように灯具本体１１に取付可能な構造であれば、硬質合成樹脂や半硬質合成樹脂で形成することもできる。
【００３４】
透光性部材８１は、開口部３２より前記光源部２１側に窪んでいる凹部８２を有する。また、透光性部材８１は、開口部３２を覆う部分よりも外側に凹部８２から連続するように延長部８３を有している。なお、本実施形態では、透光性部材８１は薄肉なシート状に形成されている。凹部８２は、照明器具１００に取り付けた状態において反射部３１の一端である開口部３２から光源部２１側に窪み、透光性部材８１における開口部３２を覆う部分である。すなわち、凹部８２は、平面視が円形形状で断面視が円弧状であって、光源部２１側に窪んでいる凹曲面形状部分である。凹部８２は、光源部２１に最も近接する部分（本実施形態では光源の光軸Ｌが通る付近）の肉厚がそれ以外の部分（例えば、開口部３２付近の周縁部）よりも薄く形成されている。具体的には、凹部８２は、光軸Ｌが通過する透光性部材８１の中央から径方向外側の周縁部に行くに従って徐々に肉厚が厚くなっている。透光性部材８１は、所定の肉厚で凹曲面形状の凹部８２を有するように形成されているため、例えば平板状の透光性部材に比べて曲げ剛性や捩れ剛性が高く、略半球面の頂部が下側に落ち窪みにくく、凹曲面形状を安定して保持することができる。透光性部材８１の凹部８２の反対側の上面は、光源部２１からの光を入射する入射面となる。一方、凹部８２の表面は光源部２１からの光を出射する出射面となる。
なお、本実施形態に係る凹部８２の形状は、凹曲面形状であるが、特に限定するものではない。例えば、凹部８２の中央が下方に突出した形状や凹部８２に複数の凹凸形状を有するように構成することもできる。また、透光性部材８１の入射面に凹凸形状を有するように構成することもできる。
本実施形態では透光性部材８１を薄肉なシート状に形成したが、これに限らず、開口部３２よりも光源部２１側に窪んでいる凹部８２を有する形状であればよく、例えば、光源部２１と反射部３１の間を埋めるように構成してもよい。
【００３５】
延長部８３は、平面視が円環状であって、凹部８２の外周縁から径方向外側に突出する部分である。延長部８３は、凹部８２に連設される円弧部８４と、該円弧部８４に連設される略平坦状の平坦部８５を有している。円弧部８４は、凹部８２の外周縁の肉厚と比べて略同じもしくは薄い肉厚の断面視円弧状の部分である。凹部８２の表面と円弧部８４の下面とは、滑らかな曲面形状が連続して形成される。凹部８２の表面及び円弧部８４の下面は、光源部２１からの光を外側に出射する出射面となる。凹部８２における出射面は上側に凸面形状であり、円弧部８４における出射面は下側に凸面形状に形成されている。
なお、本実施形態に係る透光性部材８１は、延長部８３を有するが、特に限定するものではない。例えば、透光性部材として延長部８３を有しない構成としてもよく、具体的には、照明器具の開口部に嵌合して取り付ける構成や、透光性部材を支持する枠体を有する構成としてもよい。これにより、外周部を有しない照明器具であっても透光性部材を取り付けることができる。
【００３６】
平坦部８５は、円弧部８４の径方向外縁から径方向内側に向けて延出される略平坦状の部分である。平坦部８５は、平面視円環状である。平坦部８５は、平面視において円弧部８４の幅の略半分まで延設されている。円弧部８４の外縁と平坦部８５とは、断面視略Ｖ字状に連設され、円弧部８４の外縁と平坦部８５との間には、延長部８３の周囲に亘って溝部８６（図５参照）を形成している。平坦部８５は、照明器具を取付穴Ｈに取り付けた際に、天井Ｃに当接する面となる。すなわち、平坦部８５は、照明器具１００を天井Ｃに設置した状態において、鍔部９１の上面に配置される。平坦部８５は、照明器具１００を設置した状態において、鍔部９１の上面と取付穴Ｈの周縁部との隙間が生じることを塞ぐための弾性パッキンの役割を有し、防塵性と気密性とを向上させる。鍔部９１は、天井Ｃの下面側に平坦部８５を介して取付穴Ｈの周縁部を覆う。
また、本実施形態の透光性部材８１の平坦部８５は、被取付部側に円周状の溝部８７が形成されている。溝部８７を設けることによって、透光性部材８１と天井Ｃとの間の密着性が向上し、さらに防塵性と気密性を向上させることができる。溝部８７は、必ずしも設ける必要はなく、また円周状だけでなくその他の形状に設けても良い。
【００３７】
図４、図６に示すように、延長部８３の径方向の最端は、鍔部９１の最端よりも径方向外側に形成されている。
【００３８】
透光性部材８１は、所定の可撓性や弾性を有しており、照明器具１００を取り付ける作業者の手作業により透光性部材８１を一定の範囲で撓ませたり伸長させたりして変形することができる。作業者は、凹部８２を反射部３１の内側に収容した状態で、溝部８６に鍔部９１を挿通して、該鍔部９１を円弧部８４の外縁と平坦部８５とで挟み込むことで、透光性部材８１を灯具本体１１に取り付けることができる。このように灯具本体１１の鍔部９１に取り付けられた透光性部材８１は、灯具本体１１の下面側に配置されることから、照明器具１００を取付穴Ｈに設置した状態において外部（例えば室内空間など光を照射する空間）に露出する。つまり、透光性部材８１は、照明器具１００が取付穴Ｈに設置された状態で視認可能な部分である照明器具１００の意匠面の一部を構成する。透光性部材８１が開口部３２を塞ぐとともに、延長部８３（円弧部８４）が鍔部９１を覆う。そのため、照明器具１００が天井Ｃに取り付けられた場合、例えば室内空間側からは灯具本体１１は視認されにくく、天井Ｃ面から続くように延長部８３と凹部８２が見えることになる。
なお、透光性部材８１の形状は、図６等に示すような円形形状に限らず、楕円や多角形状、扇形などでもよい。また、外周部（鍔部）を有する照明器具であれば、外周部に沿った形状に形成すればよい。
また、透光性部材の厚さは用途に応じて適宜変更してもよく、例えば、光軸Ｌが通過する中央部の厚さを変更してレンズ機能を有するように構成することもできる。
また、透光性部材８１は、彩色することで演出効果を得ることが可能である。
【００３９】
ヒートシンク４１は、熱伝導率の高いアルミニウム等の金属素材からなる放熱部材である。ヒートシンク４１は、基部４２と、放熱フィン４３と、光源収容部４４と、保持部材配置部４５と、ボス４６と、取付バネ７１を取り付けるバネ取付部４８を有している。
【００４０】
基部４２は、有底略円筒状である部分である。基部４２は、上部に円板形状の上板部４２ａを有している。上板部４２ａには、平面視において互いが略平行をなすとともに、上方に立設する複数の放熱フィン４３・４３・・・が形成されている。図４に示すように、基部４２には、凹状で光源部２１（基板２２及びレンズ２３）を配置するための光源収容部４４が形成されている。上板部４２ａには、基板２２に電気的に接続される電線（図示せず）を挿通するとともに、基部４２上方側に導く貫通孔（図示せず）が形成されている。
【００４１】
放熱フィン４３は、基部４２上から複数突出して形成される板状の放熱部材である。放熱フィン４３は、径方向において電源部５１に対向する側を切り欠いた形状となっている。すなわち、基部４２において電源部５１に対向する側の表面には、放熱フィン４３が設けられていない。
光源部２１から発した熱は、基部４２（光源収容部４４）を介してヒートシンク４１全体に伝わる。
【００４２】
保持部材配置部４５は、基部４２上において放熱フィン４３を設けていない部分である。
【００４３】
ボス４６は、電源部５１に対向する側において基部４２の側部に上下方向に沿って設けられるものである。ボス４６は、ネジ４７を螺合可能なネジ螺合部を有する。
なお、本実施形態において、図３における照明器具１００の短手方向を照明器具１００の幅方向をいう（以下では、単に幅方向ともいう）。
【００４４】
バネ取付部４８は、取付バネ７１をヒートシンク４１に取り付ける部分である。バネ取付部４８は、ヒートシンク４１の基部４２の周縁に略均等配置されるように複数個（本実施形態では、２個）設けられている。バネ取付部４８は、取付バネ７１を当接してネジ５７で取り付けるためのものである。
【００４５】
取付バネ７１は、照明器具１００を天井Ｃの取付穴Ｈに埋め込んで取り付けるための固定手段である。取付バネ７１は、周壁部３３の外側面に略均等配置されたバネ取付部４８に配設される。取付バネ７１は、ステンレス素材等の板状金属部材の中途部を複数箇所屈曲及び湾曲させて形成された板バネである。取付バネ７１は、図７に示すように、略Ｖ字状に形成された板バネであり、基端部７２、湾曲端部７３、自由端部７４を有する。取付バネ７１は、基端部７２の一端が灯具主体５０のバネ取付部４８に当接してネジ５７により固定されるとともに、基端部７２の他端が湾曲端部７３を介して自由端部７４の一端に連設され、自由端部７４の他端が灯具本体１１側方に延出されるものである。取付バネ７１を屈曲した状態で照明器具１００を天井Ｃの取付穴Ｈに設置した場合、取付バネ７１は、取付バネ７１が広がろうとする弾性力によって取付穴Ｈの周縁を押圧する。これにより、取付バネ７１は、鍔部９１との間で天井Ｃを挟持し、照明器具１００を天井Ｃに固定する。
なお、取付バネの形状、取付位置、本数等については、本実施形態のものに限定されない。
【００４６】
電源部５１は、光源部２１が有するＬＥＤ素子に給電を行って、ＬＥＤ素子を点灯させるための電源装置である。電源部５１は、箱状の電源ケース５２内に直方形状に加工されたプリント配線板上に複数の電子部品が実装された電源回路が収容されたものである。複数の電子部品は、動作時に発熱する部品が含まれている。電子部品から発する熱は、電源ケース５２に伝わる。電源部５１は、外部商用電源から供給される交流電流を所定の直流電流に変換し、変換後の電流を基板２２に実装された複数のＬＥＤ素子に供給するためのものである。電源部５１は、配線（図示せず）を介して端子台５３に電気的に接続されている。端子台５３は、電源部５１（電源ケース５２）の一側面に配置されている。照明器具１００を天井Ｃに取り付ける際、配線（図示せず）により端子台５３と天井裏側の外部商用電源（図示せず）とを接続することで、電源部５１は外部商用電源と電気的に接続される。電源部５１と基板２２は配線（図示せず）によって電気的に接続されている。
【００４７】
保持部材６１は、電源部５１を灯具本体１１の側方に保持して灯具本体１１に取り付ける部材である。保持部材６１は、例えば、熱伝導性が高い金属部材である。保持部材６１は、側面視略Ｓ字状に湾曲し、所定の弾性（バネ性）を有した板状のバネ材である。保持部材６１の一端は、保持部材配置部４５のボス４６にネジ４７により取り付けられる。保持部材６１の他端は、電源部５１の下部に設けられたネジ取付部５４にネジ５５により取り付けられる。
【００４８】
電源部５１の下部には、電源部５１の長手方向両端の四隅において下方に突出して配置される側面視略Ｌ字状の４つの支持部５６を有している。
【００４９】
支持部５６は、下端が天井Ｃの裏面に当接することで。電源部５１と天井Ｃの裏面との間に所定の距離（沿面距離、１０ｍｍ以上）を確保することができる。
なお、本実施形態の保持部材６１は、所定の弾性（バネ性）を有しているため、図４に示す電源部５１側は、該電源部５１の自重により下方に下がるとともに、電源部５１が有する支持部５６の下端が天井Ｃの裏面に当接して保持される。
【００５０】
ここで、従来技術として例えば、特許文献１に開示された照明器具では、開口部において透光性部材の一種である透光性カバーが下方に凸状に形成されている。これに対して、本実施形態で説明する透光性部材８１は、図４に示すように、凹部８２の頂部を開口部３２から離して光源部２１側に近接させるように構成している。このような構成により、光源部２１に近い位置で光の制御（反射や拡散）を行って、開口部３２から光を出射することが好ましいからである。すなわち、光源部２１から最も近接する、透光性部材８１の最も輝度が高くなる部分（本実施形態では凹部８２の頂部付近）を開口部３２よりも光源側に配置することによって、最も輝度が高くなる部分を使用者に視認しづらくすることができる。このように、透光性部材８１により光源部２１に近接した状態で配光制御した光を開口部３２から出射するようにすることで、グレアをより効果的に低減することができる。
また、本実施形態では、弾性を有する材料を用いて鍔部９１に挟み込むように取り付けるので、透光性部材８１を取り付けるための枠体やパッキンなどの取付部材が不要であり、密閉機能を持たす事が可能となっている。そのため、従来必要であった取付部材などを削減でき、コスト削減が可能となる。
【００５１】
なお、本実施形態では、照明器具１００を屋内用の照明器具として説明しているが、特に限定するものではなく、透光性部材８１を取り付けることで防水性が向上し、屋外用の照明器具として使用することができる。
【００５２】
以上説明した本実施形態の透光性部材８１によれば、光源部２１からの出射光を外部に出射する開口部３２を少なくとも覆うとともに、該開口部３２より光源部２１側に窪んでいる凹部８２を有している。すなわち、室内等の視認者側からは灯具本体１１の開口部３２を覆い、開口部３２よりも光源部２１側に凹状を有する形状となっている。これにより、グレアを低減することができる。
【００５３】
本実施形態の透光性部材８１によれば、凹部８２が、光源部２１に最も近い部分の肉厚がそれ以外の部分よりも薄くなるように形成されている。具体的には、透光性部材８１は、光軸Ｌが通過する付近から周縁部に行くに従って徐々に肉厚が厚くなっている。透光性部材８１が灯具本体１１の光の出射面側を覆う場合、光量を損失させてしまうが、光源部２１直下付近の透光性部材８１の厚さを薄くすることによって、光源部２１の直下を明るくして、照射面全体を明るくすることができる。
【００５４】
本実施形態の透光性部材８１によれば、透光性部材８１を取り付ける対象である照明器具１００が、開口部３２を有するとともに該開口部３２の外周縁に外周部（鍔部９１）を有する灯具本体１１を備え、凹部８２の外形が外周部（鍔部９１）の外形よりも大きい。すなわち、外周部（鍔部９１）の外径よりも大きい外径を有する透光性部材８１を取付けるため、灯具本体１１の外周部（鍔部９１）よりも外側まで光源部２１からの光を拡散して天井面に光を照射することができる。
【００５５】
本実施形態の透光性部材８１によれば、弾性部材により形成され、灯具本体１１の外周部(鍔部９１)を挟み込んで取り付けられる。すなわち、例えばシリコーン樹脂などの弾性ある素材で透光性部材８１を形成し、灯具本体１１の外周部(鍔部９１)を挟みこんで取付ける。これにより、照明器具の気密性を確保することができる。また、レンズやパネル等の役割を有する透光性部材８１は、取り付けるための枠体や、取付穴Ｈとの気密性を確保するパッキンなどの部材が不要であり、部品点数を少なくすることができてコスト低減に有効である。
【００５６】
本実施形態の透光性部材８１によれば、灯具本体１１の外周部(鍔部９１)を挟み込んで取り付けられた状態で、外周部(鍔部９１)近傍の出射面側が曲面で形成されている。すなわち、透光性部材８１の下面側には角がなく曲面で形成されている。具体的には、灯具本体１１は開口部３２を有し、角部を形成しているが、当該角部を透光性部材８１により覆う構成としている。これにより、光の出射面側に角部が目立たないため、透光性部材８１の出射面に影が出にくい。
【００５７】
本実施形態の透光性部材８１は、ＬＥＤ素子を有する光源部２１に取り付け可能である。ＬＥＤ素子は、従来の光源よりも光出射側の発熱量が少ないため、近接しても透光性部材８１への熱的影響（劣化や変形など）が小さい。また、ＬＥＤ素子は、従来の光源よりも高寿命であり、ランプの交換といった作業を要せず、使用者のメンテナンスが容易となる。また、透光性部材８１を光源部２１に近づけられるため照明器具の薄型化が図れ、小型化が実現できる。
【００５８】
本実施形態の照明器具１００によれば、透光性部材８１とＬＥＤ素子の間にレンズ２３を有する。これにより、発光ムラ、色ムラ、グレアの低減などの効果をさらに奏する。
【００５９】
本実施形態の照明器具１００によれば、透光性部材８１が、灯具本体１１が有する外周部(鍔部９１)を挟み込んで取り付けられる。これにより、照明器具１００に透光性部材８１を容易に取り付け可能であるとともに、グレアを低減することができる。また、灯具本体１１に透光性部材８１の取付部材を設ける必要がなく、組み立てし易く量産性が高くなる。
【００６０】
次に、本発明の第２実施形態に係る照明器具２００について、図８及び図９を用いて説明する。照明器具２００において、図１等に示す照明器具と同様の構成については同一符号を付与して詳細な説明を省略する。照明器具２００では、後述する立壁部８９が透光性部材８１に設けられることが照明器具１００と異なる部分である。以下、異なる部分である立壁部８９を主に説明する。
【００６１】
照明器具２００は、図８、図９に示すように、灯具本体１１と、電源部５１と、保持部材６１とを主に備える。
【００６２】
灯具本体１１は、光源部２１、反射部３１、ヒートシンク４１、及び鍔部９１を有する灯具主体５０、透光性部材８１、及び取付バネ７１を有している。
【００６３】
立壁部８９は、図９に示すように、取付部材としての取付バネ７１の湾曲端部７３の径方向外側に近接もしくは当接して配置されている。立壁部８９は、電気的絶縁性を有する板状部材である。立壁部８９は、透光性部材８１の平坦部８５の被取付部側に略垂直に連続するように設けられる。立壁部８９は、照明器具２００を天井Ｃの取付穴Ｈに設置した場合、図９に示すように、取付バネ７１の湾曲端部７３の外側面と天井Ｃの取付穴Ｈの周縁との間に介装される。例えば、天井Ｃが浴室用の天井であって、図９に示すように、浴室内側に金属板Ｃ１と、該金属板Ｃ１の上部に形成される断熱材（例えば、石膏ボード等）Ｃ２の二層からなる場合、立壁部８９は金属材からなる取付バネ７１と金属板Ｃ１との間に配置されることで、取付バネ７１と金属板Ｃ１との接触を防ぎ、取付バネ７１と天井Ｃの金属板Ｃ１との間で絶縁性を確保することができる。この場合、立壁部８９の高さ寸法（上下方向の寸法）は、天井Ｃの金属板Ｃ１の厚さ寸法よりも大きいことが好ましい。また、立壁部８９の幅寸法は、取付バネ７１の湾曲端部７３の幅寸法よりも大きいことが好ましい。本実施形態では、立壁部８９は、取付バネ７１と対向する２箇所の位置に透光性部材８１が有する平坦部８５の径方向内側の一端から連続するように設けた。しかしながら、これに限らず、円周形状などその他の形状に設けても良い。また、平坦部８５の一端ではなく、その中途部に設けても良い。このように構成することで、金属板Ｃ１の一端が金属製である取付バネ７１の湾曲端部７３に接触することがなくなり、灯具本体１１と天井材との間の絶縁性を高めることができる。
また、立壁部８９を取付穴Ｈの周縁に沿うように形成すれば、透光性部材８１と天井Ｃとの間の気密性を高めることができる。
【００６４】
以上説明した第２実施形態の照明器具２００によれば、照明器具２００を被取付部である天井Ｃの取付穴Ｈに取り付けた際に、前記天井Ｃと取付バネ７１との間に介装される立壁部８９を有している。これにより、例えば、図９に示すような金属板Ｃ１と断熱材Ｃ２からなる浴室用の天井Ｃの取付穴Ｈに照明器具２００を取り付けた場合、取付バネ７１と金属板Ｃ１との間に立壁部８９が介装されることで、該立壁部８９が取付バネ７１と金属板Ｃ１とを区画する隔壁となって取付バネ７１と金属板Ｃ１とが接触することを防ぎ、照明器具としての絶縁性を確保することができる。
【符号の説明】
【００６５】
１１  灯具本体
２１  光源部
３２  開口部
８１  透光性部材
８２  凹部
８３  延長部
８９  立壁部
９１  鍔部（外周部）
１００  照明器具
２００  照明器具
Ｃ  天井
Ｈ  取付穴
Ｌ  光軸
【図１】
2015213052.tif 000003
【図２】
2015213052.tif 000004
【図３】
2015213052.tif 000005
【図４】
2015213052.tif 000006
【図５】
2015213052.tif 000007
【図６】
2015213052.tif 000008
【図７】
2015213052.tif 000009
【図８】
2015213052.tif 000010
【図９】
2015213052.tif 000011